(57)【特許請求の範囲】
【請求項１】
後端に観音開き状のドアを有する容器状の複数のドライコンテナと；これら各ドライコンテナとダクトを介して接続され、各ドライコンテナ内に調整空気を供給して各ドライコンテナ内の雰囲気を調整する装置本体とを備え、前記各ドライコンテナは、前記ダクトが接続される給気口と、各ドライコンテナ内の空気を排出する排気口と、各ドライコンテナ内の雰囲気状態を検出する雰囲気検出機構とを有し、前記装置本体は、処理空気を乾燥させる除湿機と、前記各雰囲気検出機構からの検出信号に基づき除湿機からの乾燥空気の各ドライコンテナへの供給量を制御する制御手段とを有していることを特徴とするドライコンテナ用雰囲気制御装置。
【請求項２】
雰囲気検出機構は、ドライコンテナ内の湿度を検出する湿度センサまたはドライコンテナ内の露点温度を検出する露点温度検出用センサのうちの少なくともいずれか一方を有していることを特徴とする請求の範囲第１項記載のドライコンテナ用雰囲気制御装置。
【請求項３】
露点温度検出用センサは、ドライコンテナ内の温湿度を検出する温湿度センサと、ドライコンテナの外板温度を検出する外板温度センサとを有していることを特徴とする請求の範囲第２項記載のドライコンテナ用雰囲気制御装置。
【請求項４】
排気口は、ドライコンテナ内部の圧力と外部の圧力との圧力差で開閉する開閉機構を有していることを特徴とする請求の範囲第１項，第２項または第３項記載のドライコンテナ用雰囲気制御装置。
【請求項５】
装置本体は、除湿機からの乾燥空気を冷却する冷却機構を有していることを特徴とする請求の範囲第１項，第２項または第３項記載のドライコンテナ用雰囲気制御装置。
【請求項６】
制御手段は、各ドライコンテナで必要とする乾燥空気の流量に合わせ除湿機側からの乾燥空気の供給量を調節する供給量調節機構を有していることを特徴とする請求の範囲第１項，第２項または第３項記載のドライコンテナ用雰囲気制御装置。
【請求項７】
装置本体は、格納専用の１つのドライコンテナ内に組付けられ、このドライコンテナ内には、ダクトを収納するダクト収納機構が設けられていることを特徴とする請求の範囲第１項，第２項または第３項記載のドライコンテナ用雰囲気制御装置。
【請求項８】
ダクト収納機構は、ダクトを巻取る巻取りドラムと；複数の巻取りドラムが周方向に間隔を置いて取付けられ、駆動源により回転駆動されて任意の巻取りドラムを所定の作業位置まで移動させる回転軸と；を備えていることを特徴とする請求の範囲第７項記載のドライコンテナ用雰囲気制御装置。
【発明の詳細な説明】
技術分野
本発明は、ドライコンテナ用雰囲気制御装置に係り、特にドライコンテナ内部の結露による貨物のダメージを防止することができるドライコンテナ用雰囲気制御装置に関する。
背景技術
一般に、精密機器や吸湿性を有する商品等、湿度管理を必要とする貨物を輸送する場合には、空気冷却に伴ない除湿機能を付加的に有することになる冷凍コンテナを用いるのが通例であるが、輸送コストの問題等から、最近ではドライコンテナを用いて輸送することが行なわれている。
ところで、ドライコンテナの場合には、コンテナ内を除湿する手段を有していないため、湿度管理を必要とする貨物を輸送する際には、ドライコンテナ内に除湿手段を新たに設置する必要があるが、すべてのドライコンテナに除湿手段を設置する場合には設備費が嵩むとともに、ほとんどの場合は湿度管理を要しない貨物であるため、すべてのドライコンテナに除湿手段を設置する方法は実用的でない。
また、湿度管理を要する貨物であっても、輸送の全過程で湿度管理が必要となるというわけではなく、湿度管理が特に必要となるのは、ドライコンテナを船舶に積付けて海上輸送している間、およびドライコンテナをコンテナターミナルに蔵置している間のみである。
したがって、これら両期間だけ湿度管理を行なうことができれば、ドライコンテナに除湿手段を直接設置する必要はない。
本発明は、かかる現況に鑑みなされたもので、湿度管理を必要とする期間のみ、複数のドライコンテナ内の雰囲気を同時に制御して結露による貨物のダメージを防止することができ、しかも各ドライコンテナ内の条件が異なる場合であっても、各ドライコンテナの条件に見合った雰囲気制御を行なうことができるドライコンテナ用雰囲気制御装置を提供することを目的とする。
本発明の他の目的は、ドライコンテナ内での結露の発生を有効に防止することができるドライコンテナ用雰囲気制御装置を提供するにある。
本発明の他の目的は、外気温が大幅に変動した場合であっても、露点温度を精度よく検出することができるドライコンテナ用雰囲気制御装置を提供するにある。
本発明の他の目的は、ドライコンテナ外部の湿度が大幅に変動した場合であっても、ドライコンテナ内の雰囲気を、より長時間に亙って安定させることができるドライコンテナ用雰囲気制御装置を提供するにある。
本発明の他の目的は、貨物が温度上昇によって自然発火するおそれがあるさらし粉や、温度上昇によって変形するおそれがあるプラスチック製品等であっても、これらの貨物の安全性を確保することができるドライコンテナ用雰囲気制御装置を提供するにある。
本発明の他の目的は、各ドライコンテナで必要とするだけの流量の乾燥空気を、装置本体側から各ドライコンテナに供給することができるドライコンテナ用雰囲気制御装置を提供するにある。
本発明の他の目的は、装置本体を、雰囲気制御を行なうドライコンテナと同一の取扱い設備を用いて運搬，設置，および格納することができ、取扱いが容易なドライコンテナ用雰囲気制御装置を提供するにある。
本発明のさらに他の目的は、長尺のダクトを効率よく収納することができ、作業も容易なドライコンテナ用雰囲気制御装置を提供するにある。
発明の開示
本発明は、後端に観音開き状のドアを有する容器状の複数のドライコンテナと；これら各ドライコンテナとダクトを介して接続され、各ドライコンテナ内に調整空気を供給して各ドライコンテナ内の雰囲気を調整する装置本体とで構成し、前記各ドライコンテナに、前記ダクトが接続される給気口と、各ドライコンテナ内の空気を排出する排気口と、各ドライコンテナ内の雰囲気状態を検出する雰囲気検出機構とを設けるとともに、前記装置本体に、処理空気を乾燥させる除湿機と、前記各雰囲気検出機構からの検出信号に基づき除湿機からの乾燥空気の各ドライコンテナへの供給量を制御する制御手段とを設けるようにしたことを特徴とする。そして、湿度管理を必要とする期間のみ、各ドライコンテナと装置本体とを接続することにより、複数のドライコンテナ内の雰囲気を同時に制御して結露による貨物のダメージを防止することができる。しかも、各ドライコンテナへの乾燥空気の供給量が制御手段により制御されるので、各ドライコンテナ内の条件が異なる場合であっても、各ドライコンテナの条件に見合った雰囲気制御を行なうことができる。
本発明はまた、雰囲気検出機構を、ドライコンテナ内の湿度を検出する湿度センサまたはドライコンテナの露点温度を検出する露点温度検出用センサのうちの少なくともいずれか一方で構成するようにしたことを特徴とする。そしてこれにより、ドライコンテナ内での結露の発生を有効に防止することができ、装置構成も簡単で空きスペースに容易に設置することができ、貨物の積付けに支障を来たすことがない。
本発明はまた、露点温度検出用センサを、ドライコンテナ内の温湿度を検出する温湿度センサと、ドライコンテナの外板温度を検出する外板温度センサとで構成するようにしたことを特徴とする。そしてこれにより、外気温が大幅に変動した場合であっても、露点温度を精度よく検出することができる。
本発明はまた、排気口に、ドライコンテナ内部の圧力と外部の圧力との圧力差で開閉する開閉機構を設けるようにしたことを特徴とする。そしてこれにより、ドライコンテナ外部の湿度が大幅に変動した場合であっても、ドライコンテナ内の雰囲気が外部湿度によって変動することがなく、より長時間に亙ってドライコンテナ内の雰囲気を安定させることができ、しかも排気口の開閉に注意を払う必要が全くない。
本発明はまた、装置本体に除湿機からの乾燥空気を冷却する冷却機構を設けるようにしたことを特徴とする。そしてこれにより、貨物が温度上昇によって自然発火するおそれがあるさらし粉や、温度上昇によって変形するおそれがあるプラスチック製品等であっても、冷却された乾燥空気によって各ドライコンテナ内が冷却され、前記貨物の安全性を確保することができる。
本発明はまた、制御手段に、各ドライコンテナで必要とする乾燥空気の流量に合わせ除湿機側からの乾燥空気の供給量を調節する供給量調節機構を設けるようにしたことを特徴とする。そしてこれにより、各ドライコンテナで必要とするだけの流量の乾燥空気を、装置本体側から各ドライコンテナに供給することができる。
本発明はまた、装置本体を格納専用の１つのドライコンテナ内に組付け、このドライコンテナ内に、ダクトを収納するダクト収納機構を設けるようにしたことを特徴とする。そしてこれにより、装置本体を、雰囲気制御を行なうドライコンテナと同一の取扱い設備を用いて運搬，設置および格納することができ、取扱いが容易である。また、装置本体格納用のドライコンテナ内には、ダクトも収納することができるので、取扱いがより容易である。
本発明はさらに、ダクト収納機構を、ダクトを巻取る巻取りドラムと；複数の巻取りドラムが周方向に間隔を置いて取付けられ、駆動源により回転駆動されて任意の巻取りドラムを所定の作業位置まで移動させる回転軸と；で構成するようにしたことを特徴とする。そしてこれにより、長尺のダクトを効率よく収納することができ、作業も容易である。
【図面の簡単な説明】
第１図は、本発明の第１の実施の形態に係るドライコンテナ用雰囲気制御装置を示す全体構成図である。
第２図は、給気口部分の詳細を示す部分断面図である。
第３図は、排気口部分の詳細を示す部分断面図である。
第４図は、除湿機の構成を示す説明図である。
第５図は、分配装置の構成を示す説明図である。
第６図は、ダクト収納機構の構成を示す説明図である。
第７図は、第６図の左側面図である。
第８図は、本発明の第２の実施の形態を示す第３図相当図である。
第９図は、本発明の第３の実施の形態を示す第３図相当図である。
発明を実施するための最良の形態
以下、本発明を図面を参照して説明する。
第１図は、本発明の第１の実施の形態に係るドライコンテナ用雰囲気制御装置を示すもので、このドライコンテナ用雰囲気制御装置１は、複数基，例えば３基のドライコンテナ２，３，４と、これら各ドライコンテナ２，３，４内部の雰囲気を調整する装置本体５とを備えており、装置本体５は、前記各ドライコンテナ２，３，４と同一構造の格納専用の１基のドライコンテナ６内に組付けられている。そして、この装置本体５は、前記各ドライコンテナ２，３，４とダクト７，８，９を介して各別に接続され、各ドライコンテナ２，３，４内に調整空気を供給できるようになっている。
前記ドライコンテナ２，３，４，６は、第１図に示すように、後端に観音開き状のドア２ａ，３ａ，４ａ，６ａを有する容器状をなしており、格納専用のドライコンテナ６を除く他のドライコンテナ２，３，４には、前記各ドア２ａ，３ａ，４ａの上部一側端に、前記各ダクト７，８，９の先端が着脱可能に接続される給気口１０、１１，１２が設けられているとともに、ドア２ａ，３ａ，４ａに対向するフロント壁の上部他側端には、各ドライコンテナ２，３，４内の空気を外部に排出する排気口１３，１４，１５が設けられている。
前記各給気口１０，１１，１２は、第２図に示すように、各ドア２ａ，３ａ，４ａに貫通配置される筒状の本体１６と、各ドア２ａ，３ａ，４ａの内面に固設されて前記本体１６に接続される有底筒状の安全カバー１７とを備えており、前記本体１６の内周面には、例えば２個の係合凹部１６ａが設けられ、また前記安全カバー１７の上端開口部には、異物の侵入を防止するための網状のガード体１７ａが取付けられている。
一方、前記各ダクト７，８，９の先端部には、第２図に示すように、接続金具１８が取付けられており、この接続金具１８の前記本体１６への挿入部１８ａの外周面には、図示しないばね圧により外径側に押圧付勢される球状の係合体１９が例えば２個組込まれている。そして、これら各係合体１９は、挿入部１８ａを本体１６に挿入した際に、各係合凹部１６ａにスナップ係止され、接続金具１８を給気口１０，１１，１２に仮固定できるようになっている。この接続金具１８は、各係合体１９の各係合凹部１６ａとのスナップ係止力以上の力で引張ることにより、各給気口１０，１１，１２から取外すことができるようになっており、接続金具１８を取外した後、各給気口１０，１１，１２には、第２図に鎖線で示すように、カバーＣが装着され、ドライコンテナ２，３，４としての通常の使用時に支障を来たすことのないよう考慮されている。
なお、各ドライコンテナ２，３，４内の雰囲気制御時に、何等かの理由で接続金具１８が各給気口１０，１１，１２から外れてしまった場合であっても、安全カバー１７およびガード体１７ａにより、雨水や異物が各ドライコンテナ２，３，４内に侵入するのを防止することができる。
また、前記各排気口１３，１４，１５は、第３図に示すように、各ドライコンテナ２，３，４の外面に沿って下方に屈曲する筒状の本体２０を備えており、この本体２０の内部には、各ドライコンテナ２，３，４の内部圧力と外部圧力との圧力差で開閉する開閉機構２１および異物の侵入を防止するための網状のガード体２２が組付けられている。
前記開閉機構２１は、第３図に示すように、本体２０の内周部に設けられた内フランジ状の弁座２３と、この弁座２３に下面側から着離座する弁体２４と、この弁体２４を着座方向に常時付勢するスプリング２５とを備えており、この開閉機構２１は、各ドライコンテナ２，３，４内部の圧力と外部の圧力との圧力差が、前記スプリング２５の付勢力を超えた際に、弁体２４が弁座２３から離座して開となり、各ドライコンテナ２，３，４内部の空気を外部に排出するようになっている。
また、前記各ドライコンテナ２，３，４の内部には、第１図に示すように、前記各排気口１３，１４，１５の近傍位置に、各ドライコンテナ２，３，４内部の相対湿度を検出する湿度センサ２６、および各ドライコンテナ２，３，４内部の露点温度を検出する露点温度検出用センサ２７がそれぞれ設けられており、前記露点温度検出用センサ２７は、各ドライコンテナ２，３，４内部の温湿度を検出する温湿度センサ２７ａと、各ドライコンテナ２，３，４の天壁部あるいは側壁部の外板温度を検出する外板温度センサ２７ｂとで構成されている。そして、これら各センサ２６，２７ａ，２７ｂにより、各ドライコンテナ２，３，４内の雰囲気状態を検出する雰囲気検出機構が構成されるようになっており、その検出信号は、後に詳述する装置本体５に送られるようになっている。
この装置本体５は、第１図に示すように、処理空気を除湿する除湿機２８と、この除湿機２８からの乾燥空気を昇圧するブースタファン２９と、給気配管３０を介してブースタファン２９に接続されブースタファン２９からの乾燥空気を各ドライコンテナ２，３，４に分配する分配装置３１とを備えており、前記給気配管３０には、ブースタファン２９出側の圧力を検出する圧力センサ３２が設けられ、また前記除湿機２８とブースタファン２９との間には、各ドライコンテナ２，３，４内部を冷却する必要がある際に起動される冷却装置３３が介装されている。そして、この装置本体５は、制御装置３４により制御されるようになっている。
前記冷却装置３３は、圧縮機，凝縮器および蒸発器を有する冷凍サイクルで構成されており、蒸発器での吸熱作用により、ブースタファン２９に送られる乾燥空気を冷却するようになっている。そして凝縮器からの排熱は、前記除湿機２８で有効利用されるようになっている。
すなわち、この除湿機２８は、第４図に示すように、ドラム状に形成されたハニカム構造のハニカムロータ３５を備えており、このハニカムロータ３５は、乾燥空気を作る処理空気室と吸湿した水分を排出する再生空気室とに区分されたケース（図示せず）内で所定方向に回転駆動されるようになっている。第４図において、符号Ａで示す部分が処理空気室に対応する部分、符号Ｂで示す部分が再生空気室に対応する部分である。
処理空気３６は、第４図に示すように、ハニカムロータ３５の処理空気室に対応する部分Ａを通過するようになっており、この通過により処理空気３６中の水分がハニカムロータ３５で吸湿され、ハニカムロータ３５からは乾燥空気３７として排出されるようになっている。この乾燥空気３７は、熱交換機３８で冷却された後、処理ファン３９により冷却装置３３側に送出されるようになっている。前記熱交換器３８には、熱交換ファン４０の起動により外気４１が導入されるようになっており、前記ハニカムロータ３５からの乾燥空気３７は、この外気４１との熱交換により冷却されるようになっている。
一方、前記ハニカムロータ３５の再生空気室に対応する部分Ｂには、第４図に示すように、再生空気４２が再生ヒータ４３で加熱された後に供給されるようになっており、吸湿により湿ったハニカムロータ３５は、この高温の再生空気４２により加熱再生され、除去された水分は、湿り空気４４として再生ファン４５により外部に排出されるようになっている。前記再生空気４２は、通常は外気がそのまま用いられるが、前記冷却装置３３が作動している際には、その凝縮器からの排熱で加熱された外気が用いられるようになっている。そしてこれにより、再生ヒータ４３の出力を落としても、充分な再生効果が得られるようになっている。
なお、前記除湿機２８では、例えば処理空気が温度３２℃、湿度７０％である場合に、ハニカムロータ３５出側の乾燥空気３７は、温度６１℃，湿度１０％の高温乾燥空気となり、さらに熱交換器３８出側の乾燥空気３７は、温度３５℃，湿度３８％の低温乾燥空気となり、充分な除湿効果が得られるようになっている。
前記分配装置３１は、第５図に示すように、容器状の本体４６を備えており、この本体４６には、前記給気配管３０が接続される給気管４７、および前記各ダクト７，８，９の基端部が着脱可能に接続される例えば３本の分配管４８，４９，５０がそれぞれ設けられ、前記各分配管４８，４９，５０には、送風量調整弁５１，５２，５３がそれぞれ設けられている。そしてこれら各送風量調整弁５１，５２，５３の開度制御により、前記各ドライコンテナ２，３，４に供給される乾燥空気３７の流量が制御されるようになっている。
前記各送風量調整弁５１，５２，５３の開度制御は、前記制御装置３４からの制御信号によって行なわれるようになっており、この制御信号は、前記各湿度センサ２６および露点温度検出用センサ２７からの検出信号を制御装置３４に入力することにより出力されるようになっている。
この制御装置３４はまた、前記圧力センサ３２（第１図参照）からの送風圧力検出信号を常時モニタし、その値が設定値を超えた際には、ブースタファン２９および第４図に示す除湿機２８の各ファン３９，４０，４５（特に処理ファン３９）の回転数を下げ、送風圧力が設定値以下となるよう制御することになっている。
前記格納専用のドライコンテナ６内には、第１図に示すように、前記装置本体５とともに、ダクト収納機構５４が組付けられており、不使用時の前記各ダクト７，８，９あるいは予備のダクト等をコンパクトに収納できるようになっている。
すなわち、前記ダクト収納機構５４は、第６図および第７図に示すように、中心軸５６廻りに回転する回転輪５５と、この回転軸５５に周方向に等間隔で取付けられた例えば４個の巻取りドラム５７とを備えており、これら各巻取りドラム５７に前記各ダクト７，８，９あるいは予備のダクトが巻取られるようになっている。
前記回転輪５５は、第６図および第７図に示すように、歯車状をなす主輪５５ａと、この主輪５５ａに所定間隔で対向する副輪５５ｂとで構成されており、前記主輪５５ａには、駆動歯車５８が常時噛合し、この駆動歯車５８を図示しないモータで駆動することにより、回転輪５５が中心軸５６廻りに回転するようになっている。
一方、前記各巻取りドラム５７は、第６図および第７図に示すように、その中心軸５９を前記両輪５５ａ，５５ｂで支持した状態で、両輪５５ａ，５５ｂ間に回転可能に配設されており、前記各中心軸５９の主輪５５ａ側の端部には、従動歯車６０がそれぞれ固定され、これら各従動歯車６０は、回転輪５５を９０度回転させる毎に、駆動歯車６１に順次噛合するようになっている。
すなわち、駆動歯車６１は、第６図に示すように、左斜め下４５度の位置に固設されており、前記各従動歯車６０は、回転輪５５を回転させて各巻取りドラム５７を駆動歯車６１の位置まで移動させた際に、当該巻取りドラム５７に対応する従動歯車６０のみが駆動歯車６１に噛合し、駆動歯車６１を図示しないモータで正逆回転させることにより、巻取りドラム５７を正逆回転させることができるようになっている。
次に、本実施の形態の作用について説明する。
第１図に示す接続状態において、各ドライコンテナ２，３，４内の雰囲気は、湿度センサ２６によって相対湿度が常時検出されるとともに、露点温度検出用センサ２７によって温湿度が常時検出される。そして、相対湿度が予め定められている設定湿度値を上廻った際、あるいは各ドライコンテナ２，３，４内の雰囲気が露点温度を下廻った際に、装置本体５側から乾燥空気３７が各ドライコンテナ２，３，４に供給される。
ここで、露点温度は以下の方法によって検出される。
すなわち、前記外板温度センサ２７ｂで検出した外板温度から、飽和絶対湿度が求められるとともに、温湿度センサ２７ａで検出した各ドライコンテナ２，３，４内部の温湿度から、絶対湿度が求められる。そして、絶対湿度の値が飽和絶対湿度の値を上廻った際に、露点温度を下廻ったと判断する。
装置本体５側からの乾燥空気３７は、まず給気口１０，１１，１２から各ドライコンテナ２，３，４内に供給され、各ドライコンテナ２，３，４，内をフロント壁側に向かって流れた後、排気口１３，１４，１５から外部に排出される。この際、各排気口１３，１４，１５には開閉機構２１がそれぞれ設けられているので、各ドライコンテナ２，３，４内に乾燥空気３７を供給して内部が高圧となっている間のみ開閉機構２１が開となり、その他の間は、開閉機構２１により排気口１３，１４，１５が閉じられている。このため、外部の高湿度の空気が排気口１３，１４，１５から各ドライコンテナ２，３，４内に流入し、内部の湿度が短時間で上昇してしまうといった不具合がない。
ところで、各ドライコンテナ２，３，４内には、ほぼ満杯の状態で貨物が積付けられているのが通例であるが、各ドライコンテナ２，３，４の天井壁直下位置には、常に空隙部が形成されており、しかも給気口１０，１１，１２および各排気口１３，１４，１５が、各ドライコンテナ２，３，４の天井壁近傍に設けられているので、乾燥空気３７は、前記空隙部を主として流れることになる。しかも、各給気口１０，１１，１２と各排気口１３，１４，１５とは、第１図に示すように対角方向にずれているので、前記空隙部の全域にほぼ均等に乾燥空気３７を流すことができる。そして、結露は各ドライコンテナ２，３，４の天上壁部に発生するのが通例であるので、この部分に乾燥空気３７を集中的に流すことができる実用的効果は極めて大きい。
このようにして、乾燥空気３７を各ドライコンテナ２，３，４内に供給することにより、内部が除湿されて結露の発生を防止することができるが、場合によっては、各ドライコンテナ２，３，４で相対湿度の設定値が異なったり、あるい設定値は同一でも、貨物の種類等が異なるため、より多量の乾燥空気３７を必要とすることがある。そしてこのような場合には、各ドライコンテナ２，３，４に同一流量の乾燥空気３７を供給するよりは、各ドライコンテナ２，３，４間で乾燥空気３７の供給量を変えてやった方がよいことがある。
そこで、本実施の形態においては、第５図に示す各送風量調整弁５１，５２，５３の開度を調節し、各ドライコンテナ２，３，４への乾燥空気３７の供給量を制御するようにしている。そしてこれにより、各ドライコンテナ２，３，４内を効率よく除湿することができる。
ところで、各送風量調整弁５１，５２，５３の開度調節の状態によっては、ブースタファン２９側から分配装置３１に供給される乾燥空気３７の流量よりも、各ドライコンテナ２，３，４に供給される乾燥空気３７の流量が少なくなることがある。そしてこの場合には、給気配管３０内の圧力が次第に高くなって好ましくない。
そこで、本実施の形態においては、ブースタファン２９出側の圧力を圧力センサ３２で常時検出し、給気配管３０内の圧力が設定値を超えた際には、ブースタファン２９および除湿機２８の各ファン３９，４０，４５の回転数を下げるようにしている。そしてこれにより、ブースタファン２９側から分配装置３１に供給される乾燥空気３７の流量と、分配装置３１から送出される乾燥空気３７の流量とを同一にすることができる。
また、各ドライコンテナ２，３，４内に積付けられる貨物の種類によっては、例えば貨物が温度上昇によって自然発火のおそれがあるさらし粉や、温度上昇によって変形するおそれがあるプラスチック製品等である場合には、各ドライコンテナ２，３，４内を除湿するだけでなく、貨物を保護することができる温度まで、各ドライコンテナ２，３，４内を冷却してやることが必要となる場合がある。
そこで、本実施の形態においては、各ドライコンテナ２，３，４内を冷却する必要がある場合には、第１図に示す冷却装置３３を起動し、除湿機２８からの乾燥空気３７を冷却した後にブースタファン２９側に送るようにしている。そしてこれにより、各ドライコンテナ２，３，４に冷却された乾燥空気３７が供給されることになり、貨物を保護することができる。
なお、この際の冷却は、冷凍コンテナの場合と異なり、内部を極端に低温にする必要はなく、例えば６０℃程度まで上昇した温度を、例えば３０〜４０℃程度まで降下させれば足りるので、断熱構造となっていないドライコンテナ２，３，４であっても、充分な冷却効果が得られる。
しかして、装置本体５と各ドライコンテナ２，３，４とを、各ダクト７，８，９を介して接触することにより、複数のドライコンテナ２，３，４内の雰囲気を同時に制御して、結露や高温による貨物のダメージを防止することができる。
また、装置本体５と各ドライコンテナ２，３，４とは、完全に別体構造となっているので、湿度管理を必要とする期間のみ、装置本体５と各ドライコンテナ２，３，４とを接続して雰囲気制御を行なうことができる。このため各ドライコンテナ２，３，４に施す構造変更を、最少限に抑えることができる。
また、各ドライコンテナ２，３，４に供給される乾燥空気３７の流量を制御することができるので、各ドライコンテナ２，３，４の条件に見合った雰囲気制御を行なうことができる。
なお、前記第１の実施の形態においては、３基のドライコンテナ２，３，４を同時に制御する場合について説明したが、２基以上であれば、その数に制限はない。
第８図は、本発明の第２の実施の形態を示すもので、前記第１の実施の形態における開閉機構２１に代え、開閉機構７１を用いるようにしたものである。
すなわち、この開閉機構７１は、第８図に示すように、本体２０内に装着固定されたゴム製等の伸縮袋７２を備えており、この伸縮袋７２の下端部には、任意数の切れ目７３が設けられ、この切れ目７３は、通常状態では完全に閉止された状態となっている。そして、各ドライコンテナ２，３，４内部の圧力が外部の圧力よりも高くなって伸縮袋７２が膨張した際に、前記切れ目７３が開となって各ドライコンテナ２，３，４内部の空気を外部に排出するようになっている。
なお、その他の点については、前記第１の実施の形態と同一構成となっており、作用も同一である。
しかして、この開閉機構７１を用いても、前記第１の実施の形態と同様の効果が期待できる。
第９図は本発明の第３の実施の形態を示すもので、前記第１の実施の形態における開閉機構２１に代え、開閉機構８１を用いるようにしたものである。
すなわち、この開閉機構８１は、第９図に示すように、本体２０の内部に設けられ開口端が斜めにカットされた排出管８２と、この排出管８２の開口端に上下に揺動可能に取付けられた開閉蓋８３とを備えており、開閉蓋８３は、通常状態では自重により排出管８２の開口端を密閉している。そして、各ドライコンテナ２，３，４内部の圧力が外部の圧力よりも高くなった際に、その圧力差により開閉蓋８３が押し上げられ、排出管８２の開口端が開となるようになっている。
なお、その他の点については、前記第１の実施の形態と同一構成となっており、作用も同一である。
しかして、この開閉機構８１を用いても、前記第１の実施の形態と同様の効果が期待できる。
なお、前記各実施の形態においては、湿度センサ２６と露点温度検出用センサ２７とを各別に設ける場合について説明したが、露点温度検出用センサ２７の温湿度センサ２７ａは、温度とともに湿度も検出することができる。したがって、温湿度センサ２７ａがあれば、湿度センサ２６は省略することができる。
また、前記各実施の形態においては、露点温度検出用センサ２７を、温湿度センサ２７ａと外板温度センサ２７ｂとで構成する場合について説明したが、露点温度あるいはこれに対応する値を検出できるセンサであれば、例えば露点温度センサや結露センサ等、他のセンサを用いるようにしてもよい。
また、前記各実施の形態においては、除湿機２８として、ハニカムロータ３５を用いる場合について説明したが、冷却装置３５は冷凍サイクルで構成され、冷凍サイクルは、冷却機能とともに除湿機能も有しているので、冷却装置３５のみを用いて、除湿と冷却との両方を行なわせるようにしてもよい。
以上説明したように本発明は、後端に観音開き状のドアを有する容器状の複数のドライコンテナと；これら各ドライコンテナとダクトを介して接続され、各ドライコンテナ内に調整空気を供給して各ドライコンテナ内の雰囲気を調整する装置本体とで構成し、前記各ドライコンテナに、前記ダクトが接続される給気口と、各ドライコンテナ内の空気を排出する排気口と、各ドライコンテナ内の雰囲気状態を検出する雰囲気検出機構とを設けるとともに、前記装置本体に、処理空気を乾燥させる除湿機と、前記各雰囲気検出機構からの検出信号に基づき除湿機からの乾燥空気の各ドライコンテナへの供給量を制御する制御手段とを設けるようにしているので、湿度管理を必要とする期間のみ、各ドライコンテナと装置本体とを接続することにより、複数のドライコンテナ内の雰囲気を同時に制御して結露による貨物のダメージを防止することができる。しかも、各ドライコンテナへの乾燥空気の供給量が制御手段により制御されるので、各ドライコンテナ内の条件が異なる場合であっても、各ドライコンテナの条件に見合った雰囲気制御を行なうことができる。
本発明はまた、雰囲気検出機構を、ドライコンテナ内の湿度を検出する湿度センサまたはドライコンテナ内の露点温度を検出する露点温度検出用センサのうちの少なくともいずれか一方で構成するようにしているので、ドライコンテナ内での結露の発生を有効に防止することができ、装置構成も簡単で空きスペースに容易に設置することができ、貨物の積付けに支障を来たすことがない。
本発明はまた、露点温度検出用センサを、ドライコンテナ内の温湿度を検出する温湿度センサと、ドライコンテナの外板温度を検出する外板温度センサとで構成するようにしているので、外気温が大幅に変動した場合であっても、露点温度を精度よく検出することができる。
本発明はまた、排気口に、ドライコンテナ内部の圧力と外部の圧力との圧力差で開閉する開閉機構を設けるようにしているので、ドライコンテナ外部の湿度が大幅に変動した場合であっても、ドライコンテナ内の雰囲気が外部湿度によって変動することがなく、より長時間に亙ってドライコンテナ内の雰囲気を安定させることができ、しかも排気口の開閉に注意を払う必要が全くない。
本発明はまた、装置本体に除湿機からの乾燥空気を冷却する冷却機構を設けるようにしているので、貨物が温度上昇によって自然発火するおそれがあるさらし粉や、温度上昇によって変形するおそれがあるプラスチック製品等であっても、冷却された乾燥空気によって各ドライコンテナ内が冷却され、前記貨物の安全性を確保することができる。
本発明はまた、制御手段に、各ドライコンテナで必要とする乾燥空気の流量に合わせ除湿機側からの乾燥空気の供給量を調節する供給量調節機構を設けるようにしているので、各ドライコンテナで必要とするだけの流量の乾燥空気を、装置本体側から各ドライコンテナに供給することができる。
本発明はまた、装置本体を格納専用の１つのドライコンテナ内に組付け、このドライコンテナ内に、ダクトを収納するダクト収納機能を設けるようにしているので、装置本体を、雰囲気制御を行なうドライコンテナと同一の取扱い設備を用いて運搬，設置および格納することができ、取扱いが容易である。また、装置本体格納用のドライコンテナ内には、ダクトも収納することができるので、取扱いがより容易である。
本発明はさらに、ダクト収納機構を、ダクトを巻取る巻取りドラムと；複数の巻取りドラムが周方向に間隔を置いて取付けられ、駆動源により回転駆動されて任意の巻取りドラムを所定の作業位置まで移動させる回転輪と；で構成するようにしているので、長尺のダクトを効率よく収納することができ、作業も容易である。
産業上の利用可能性
以上のように、本発明に係るドライコンテナ用雰囲気制御装置は、複数のドライコンテナ内の雰囲気を同時に制御する装置として有用であり、特に書くドライコンテナ内で結露が発生するのを防止する装置として適している。
【図１】
0003637311.tif 000002
【図２】
0003637311.tif 000003
【図３】
0003637311.tif 000004
【図４】
0003637311.tif 000005
【図５】
0003637311.tif 000006
【図６】
0003637311.tif 000007
【図７】
0003637311.tif 000008
【図８】
0003637311.tif 000009
【図９】
0003637311.tif 000010